(57)【要約】【課題】焼却処理可能であるとともに、焼却炉を損傷させたり、燃焼ガスによる環境汚染等のおそれも少なく、地球環境保護に適した転写具を提供する。【解決手段】片手による手持ち操作可能なケース２と、ケース２内に回転可能に装着されて、転写テープＴを繰り出し可能に巻装した繰出リール３と、ケース２内に回転可能に装着されて、使用後の転写テープＴ´を巻き取り回収する巻取リール４と、両リール３、４を相互に連動回転させる連動機構５と、ケースの先端部分に配設されて、転写テープＴを被転写部上に加圧転写する転写ヘッド６と、両リール３、４における転写テープＴの繰出速度および巻取速度を同期させるクラッチ機構７とを備えてなり、構成部品２〜７の主要構成材料として、焼却処理可能な非プラスチック材料が使用されてなる。【選択図】図２
2009143065.tif 000002
【特許請求の範囲】
【請求項１】
転写テープ上の塗膜、転写マーク等の被転写膜を紙面等に転写するための転写具であって、
その構成部品の主要構成材料として、焼却処理可能な非プラスチック材料が使用されてなる
ことを特徴とする転写具。
【請求項２】
転写テープ上の塗膜、転写マーク等の被転写膜を紙面等に転写するための転写具であって、
片手による手持ち操作可能なケースと、
このケース内に回転可能に装着されて、転写テープを繰り出し可能に巻装した繰出リールと、
前記ケース内に回転可能に装着されて、使用後の転写テープを巻き取り回収する巻取リールと、
この巻取リールおよび前記操出リールを相互に連動回転させる連動機構と、
前記ケースの先端部分に配設されて、前記繰出リールから繰り出される転写テープを被転写部上に加圧転写する転写ヘッドと、
前記繰出リールおよび巻取リールにおける転写テープの繰出速度および巻取速度を同期させるクラッチ機構とを備えてなり、
これら構成部品の主要構成材料として、焼却処理可能な非プラスチック材料が使用されてなる
ことを特徴とする転写具。
【請求項３】
前記非プラスチック材料がパルプおよび／または紙であることを特徴とする請求項１または２に記載の転写具。
【請求項４】
前記非プラスチック材料が草および／または木であることを特徴とする請求項１または２に記載の転写具。
【請求項５】
前記非プラスチック材料が貝殻であることを特徴とする請求項１または２に記載の転写具。
【請求項６】
前記非プラスチック材料がおからであることを特徴とする請求項１または２に記載の転写具。
【請求項７】
前記構成部品は、紙および／またはパルプ５０〜８０重量％と熱可塑性樹脂５０〜２０重量％とを含む混合物からなる成形品である
ことを特徴とする請求項１または２に記載の転写具。
【請求項８】
前記熱可塑性樹脂は、ポリオレフィン系、ポリエステル系、ポリスチレン系、ポリアミド系、ＡＢＳ樹脂および生分解性樹脂からなる群から選ばれた少なくとも１種である
ことを特徴とする請求項７に記載の転写具。
【請求項９】
前記ケースは、紙および／またはパルプからなる成形品であることを特徴とする請求項２に記載の転写具。
【請求項１０】
前記ケースは、草および／または木からなる成形品であることを特徴とする請求項２に記載の転写具。
【請求項１１】
前記ケースは、貝殻からなる成形品であることを特徴とする請求項２に記載の転写具。
【請求項１２】
前記ケースは、おからからなる成形品であることを特徴とする請求項２に記載の転写具。
【請求項１３】
前記ケースは、植物由来材料からなる成形品であることを特徴とする請求項２に記載の転写具。
【請求項１４】
前記ケースは、その表面の筆記性が良好な材料からなる成形品であることを特徴とする請求項２に記載の転写具。
【請求項１５】
前記ケースは、彫刻刃、カッターナイフ等の刃物により彫刻可能な材料からなる成形品であることを特徴とする請求項２に記載の転写具。
【請求項１６】
前記構成部品の少なくとも一つは、香料含有材料からなる成形品であることを特徴とする請求項１または２に記載の転写具。
【請求項１７】
前記構成部品の少なくとも一つは、石油以外の原材料からなる成形品であることを特徴とする請求項１または２に記載の転写具。
【請求項１８】
前記クラッチ機構は、前記繰出リールまたは巻取リールと駆動側部材との間の弾発的な摩擦係合によりトルク駆動連結される構造を備え、
前記トルク駆動連結における連結力が、摩擦係合部の摩耗により経時的に減小するように構成されている
ことを特徴とする請求項２に記載の転写具。
【請求項１９】
前記転写テープは、基材テープの表面に、修正塗料層および加圧粘着性を有する粘着剤層が順次積層されてなる修正テープであり、前記基材テープが紙からなるフィルム状テープの形態とされている
ことを特徴とする請求項１または２に記載の転写具。
【請求項２０】
前記転写テープは、基材テープの表面に、多数の感圧粘着性を有する転写マークが所定間隔をもって剥離可能に貼着保持されてなるマーク転写テープであり、前記基材テープが紙からなるフィルム状テープの形態とされている
ことを特徴とする請求項１または２に記載の転写具。
【請求項２１】
前記転写テープを含めた前記構成部品のすべてが使い切りの消耗品とされてなる使い切りタイプとされている
ことを特徴とする請求項２に記載の転写具。
【請求項２２】
前記ケース内に、少なくとも前記繰出リールおよび前記巻取リールを備えるテープカートリッジが取外し交換可能に装着されて、前記転写テープの交換が可能な構造を備えてなるリフィルタイプとされている
ことを特徴とする請求項２に記載の転写具。
【発明の詳細な説明】
【技術分野】
【０００１】
本発明は、転写具に関し、さらに詳細には、転写テープ上に形成された塗膜や転写マーク等の被転写膜を紙面等に転写するための転写具において、地球環境保護に配慮した構成部品の改良技術に関する。
【背景技術】
【０００２】
この種の転写具は構成部品のほとんどがプラスチック製であり、プラスチックは、物質的に安定していて寿命が長く、種類も豊富で、用途別に最適なものを選定しやすいという長所がある反面、使用後に廃棄物として処分される場合に、この長所は逆に短所となっていた。
【０００３】
すなわち、近年大きな関心事となっているプラスチック廃棄物の処理の問題である。廃棄物としてのプラスチック、いわゆる廃プラスチックは、従来、多くの自治体において「不燃ごみ」として焼却せずに埋め立て処理されてきていた。
【０００４】
ところで、廃プラスチックの不燃ごみに占める割合は重量にして５０％以上であり、大量消費時代の現在においては埋立地の確保が困難となってきており、また遠方の埋立地までの運搬にかかる経費や運搬自動車の排出する二酸化炭素排出量の増加も、地球温暖化防止など地球環境保護の観点からも無視することができず、廃プラスチックの埋め立て処理は大きな問題となってきていた。
【０００５】
このような観点から、国あるいは自治体の施策として、廃プラスチックをなるべく焼却処分するという方向に向かってきている。不燃ごみの５０％以上を占める廃プラスチックを焼却することで、埋め立て量が体積で約６０％程度減少できるだけでなく、その焼却熱を発電に利用する「サーマルリサイクル」も行うことができるとともに、廃プラスチックを従来の家庭ごみを焼却する助燃剤として使用されてきた重油の代わりにできるということも、廃プラスチックの焼却処分化を後押ししている。
【０００６】
しかしながら、廃プラスチックは、そのまま焼却炉などで燃焼させると、厨芥や紙ごみに比べて熱量が大きくて燃焼温度が高いために、焼却炉を損傷させるおそれがあり、また焼却時に発生する燃焼ガスが環境汚染等の弊害を誘発させるおそれもあった。
【０００７】
このように、廃プラスチックは、埋め立て処理および焼却処分のいずれにも問題があり、その改善が強く要望されていた。
【０００８】
なお、本出願人の知る限りにおいて、このような従来の問題点に着目・改良した先行技術はまだ存在しない。
【０００９】
【特許文献１】なし
【発明の開示】
【発明が解決しようとする課題】
【００１０】
この発明はかかる従来の問題点に鑑みてなされたものであって、その目的とするところは、焼却処理可能であるとともに、焼却炉を損傷させたり、燃焼ガスによる環境汚染等のおそれも少なく、地球環境保護に適した構成を備える転写具を提供することにある。
【課題を解決するための手段】
【００１１】
上記目的を達成するため本発明の第１の転写具は、転写テープ上の塗膜、転写マーク等の被転写膜を紙面等に転写するためのものであって、その構成部品の主要構成材料として、焼却処理可能な非プラスチック材料が使用されてなることを特徴とする。
【００１２】
また、本発明の第２の転写具は、転写テープ上の塗膜、転写マーク等の被転写膜を紙面等に転写するためのものであって、片手による手持ち操作可能なケースと、このケース内に回転可能に装着されて、転写テープを繰り出し可能に巻装した繰出リールと、上記ケース内に回転可能に装着されて、使用後の転写テープを巻き取り回収する巻取リールと、この巻取リールおよび上記操出リールを相互に連動回転させる連動機構と、上記ケースの先端部分に配設されて、上記繰出リールから繰り出される転写テープを被転写部上に加圧転写する転写ヘッドと、上記繰出リールおよび巻取リールにおける転写テープの繰出速度および巻取速度を同期させるクラッチ機構とを備えてなり、これら構成部品の主要構成材料として、焼却処理可能な非プラスチック材料が使用されてなることを特徴とする。
【００１３】
好適な実施態様として、以下の構成が採用される。
（１）上記非プラスチック材料が紙および／またはパルプである。
【００１４】
（２）上記非プラスチック材料が草および／または木である。
【００１５】
（３）上記非プラスチック材料が貝殻である。
【００１６】
（４）上記非プラスチック材料がおからである。
【００１７】
（５）上記構成部品は、紙および／またはパルプ５０〜８０重量％と熱可塑性樹脂５０〜２０重量％とを含む混合物からなる成形品である。
【００１８】
（６）上記熱可塑性樹脂は、ポリオレフィン系、ポリエステル系、ポリスチレン系、ポリアミド系、ＡＢＳ樹脂および生分解性樹脂からなる群から選ばれた少なくとも１種である。
【００１９】
（７）上記ケースは、紙および／またはパルプからなる成形品である。
【００２０】
（８）上記ケースは、草および／または木からなる成形品である。
【００２１】
（９）上記ケースは、貝殻からなる成形品である。
【００２２】
（１０)上記ケースは、おからからなる成形品である。
【００２３】
（１１）上記ケースは、植物由来材料からなる成形品である。
【００２４】
（１２）上記ケースは、その表面の筆記性が良好な材料からなる成形品である。
【００２５】
（１３）上記ケースは、彫刻刃、カッターナイフ等の刃物により彫刻可能な材料からなる成形品である。
【００２６】
（１４）上記構成部品の少なくとも一つは、香料含有材料からなる成形品である。
【００２７】
（１５）上記構成部品の少なくとも一つは、石油以外の原材料からなる成形品である。
【００２８】
（１６）上記クラッチ機構は、上記繰出リールまたは巻取リールと駆動側部材との間の弾発的な摩擦係合によりトルク駆動連結される構造を備え、上記トルク駆動連結における連結力が、摩擦係合部の摩耗により経時的に減小するように構成される。
【００２９】
（１７）上記転写テープは、基材テープの表面に、修正塗料層および加圧粘着性を有する粘着剤層が順次積層されてなる修正テープであり、上記基材テープが紙からなるフィルム状テープの形態とされている。
【００３０】
（１８）上記転写テープは、基材テープの表面に、多数の感圧粘着性を有する転写マークが所定間隔をもって剥離可能に貼着保持されてなるマーク転写テープであり、上記基材テープが紙からなるフィルム状テープの形態とされている。
【００３１】
（１９）上記転写テープを含めた上記構成部品のすべてが使い切りの消耗品とされてなる使い切りタイプとされている。
【００３２】
（２０）上記ケース内に、少なくとも上記繰出リールおよび上記巻取リールを備えるテープカートリッジが取外し交換可能に装着されて、上記転写テープの交換が可能な構造を備えてなるリフィルタイプとされている。
【発明の効果】
【００３３】
本発明の転写具によれば、構成部品の主要構成材料として、焼却処理可能な非プラスチック材料が使用されてなるから、以下に列挙されるような種々の特有の効果が得られ、焼却処理可能であるとともに、焼却炉を損傷させたり、燃焼ガスによる環境汚染等のおそれも少なく、地球環境保護に適した構成を備える転写具を提供することができる。
【００３４】
（１）構成部品の主要構成材料が、焼却処理可能な非プラスチック材料とされていることにより、使用後に廃棄物として処分される場合に、従来のプラスチック製の転写具のように不燃ごみとして埋め立て処理することなく、また、構成部品毎に分解して分別する必要もなく、転写具のままで一般の普通ごみとして焼却処分することができる。
【００３５】
（２）使用後の廃棄物として処分する際に、構成部品毎の分別作業が不要となることにより、環境保護意識の低いユーザにおいても、環境に優しい取り組みを誘発しやすく、その結果、これら環境保護意識の低いユーザも環境に優しい取り組みに参入できることとなり、この観点からも地球環境に優しい製品を提供することができる。
【００３６】
（３）構成部品の主要構成材料が、焼却処理可能な非プラスチック材料とされ、例えばこの非プラスチック材料として、紙やパルプを使用することで、容器包装リサイクル法の素材分類上の「紙」とすることも可能で、転写具をそのまま焼却炉などで燃焼させても、厨芥や紙ごみ等と同様に、廃プラスチックに比較して、熱量も大きくなくて燃焼温度も高くなく、焼却炉を損傷させるおそれがなく、また焼却時の燃焼ガスの発生も少なくて、環境汚染等を誘発させるおそれもない。
【００３７】
（４）構成部品の主要構成材料として、焼却処理可能な非プラスチック材料、例えば、パルプ・紙、草・木、貝殻あるいはおからなどを使用することにより、原材料として石油を使用する割合が低いことから、原材料の原油価格への依存度が低くて、原油価格の高騰の影響を受けにくく、材料コストが低く安定して、製造コストさらには製品コストを低く抑えることが可能である。
【００３８】
（５）上記非プラスチック材料として、パルプ・紙、草・木、貝殻あるいはおからなどの石油以外の原材料を使用することで、原材料の多種多様化による限りある地球資源の有効活用が実現し、この観点からも地球環境に優しい製品を提供することができる。
【発明を実施するための最良の形態】
【００３９】
以下、本発明の実施形態を図面に基づいて詳細に説明する。なお、図面全体にわたって同一の符号は同一の構成部材または要素を示している。
【００４０】
実施形態１
本発明に係る転写具が図１〜図３に示されており、この転写具１は、具体的には、転写テープＴ上の塗膜、転写マーク等の被転写膜を紙面等に転写するための転写具であって、図示の実施形態の転写具１は誤字等を修正するための字消し具として使用されるものであり、転写テープＴを含めて、すべての構成部品が使い切りの消耗品とされてなる使い切りタイプの構造を備えてなる。
【００４１】
すなわち、字消し具１は、図１（ａ）に示すような外観形状を呈するケース２内に、図１（ｂ）に示すように、転写テープＴを繰り出し可能に巻装した繰出リール３、使用後の転写テープＴ´を巻き取り回収する巻取リール４、これら両リール３、４を相互に連動回転させる連動機構５、転写テープＴを被転写部上に加圧転写する転写ヘッド６および上記両リール３、４における転写テープＴの繰出速度および巻取速度を同期させるクラッチ機構７などを主要部として備えてなり、これら構成部品２〜７の主要構成材料として、焼却処理可能な非プラスチック材料が使用されてなる。
【００４２】
これら構成部品２〜７の主要構成材料として、焼却処理可能な非プラスチック材料が使用されてなる構成としては、（ｉ）各構成部品２〜７それぞれの主要構成材料が焼却処理可能な非プラスチック材料からなる場合と、（ii）字消し具１全体としての主要構成材料が焼却処理可能な非プラスチック材料からなる場合とがある。
【００４３】
（ｉ）の構成は、字消し具１が廃棄物として処分される場合に、構成部品２〜７のそれぞれが一般の普通ごみとして焼却処分することができる構成であり、一方、（ii）の構成は、ユニット品としての字消し具１が一般の普通ごみとして焼却処分することができる構成であり、本実施形態においては、前者（ｉ）の構成が採用されている。
【００４４】
上記非プラスチック材料としては、（a）紙および／またはパルプ、（ｂ）草および／または木、（ｃ）貝殻、（ｄ）おからなどが好適に使用され、本実施形態においては、紙および／またはパルプが採用されている。
【００４５】
このような非プラスチック材料として石油以外の原材料を使用することで、字消し具１の構成材料における石油以外の原材料の構成比率を高めることが望ましい。
【００４６】
上記構成部品２〜７は、いずれも同じ材料から構成され、主要構成材料である紙および／またはパルプ５０〜８０重量％と、熱可塑性樹脂５０〜２０重量％とを含む混合物からなる射出成形品とされ、上記混合物には、必要に応じて、各種添加剤が添加される。
【００４７】
主要構成材料としての紙またはパルプの配合量が５０〜８０重量％に設定されるのは、この範囲では、容器包装リサイクル法の素材分類における紙として認められて、一般家庭等から廃棄される紙ごみ等と一緒に普通ごみとして回収され焼却処分され得るとともに、射出成形による成形が容易でかつ転写具の構成部品２〜７の必要強度が得られるためである。
【００４８】
上記紙またはパルプとしては、一般家庭や事業所・工場で排出される古新聞等の回収古紙、あるいは製紙工場において発生する不要紙屑、古新聞などの回収屑、再生パルプあるいは間伐材から作成されたパルプ等が好適に採用され得る。
【００４９】
また、上記熱可塑性樹脂は、好ましくは、ポリオレフィン系、ポリエステル系、ポリスチレン系、ポリアミド系、ＡＢＳ樹脂および生分解性樹脂からなる群から選ばれた少なくとも１種であり、また、これら２種以上の熱可塑性樹脂が使用される場合には、各熱可塑性樹脂の使用比率が目的に応じて設定される。
【００５０】
なお、本実施形態における上記構成部品２〜７の構成材料としては、一般市販の混合物製品を使用することができ、例えば、北越製紙株式会社製の商品名「Ｅペレット」や商品名「ＥＭペレット」が好適に採用される。
【００５１】
さらに、これら構成部品２〜７の少なくとも一つの構成材料に、香料を含有して芳香性を付与することも可能である。この目的からは、ケース２（８、９）の構成材料が香料含有材料であることがより効果的である。
【００５２】
字消し具１を構成する各構成部品２〜７は、従来周知の一般的な射出成形技術により所定の形状寸法にそれぞれ成形される。次に、各構成部品２〜７の構造について具体的に説明する。
【００５３】
ケース２は片手による手持ち操作可能なもので、図示のごとく、上記繰出リール３および巻取リール４等の構成部品を内装し得る正面輪郭形状寸法と幅寸法を備える偏平な箱状とされ、その対向する一対の扁平な表裏面２ａ，２ｂが手持ち操作時の基準的な把持面とされている。
【００５４】
このケース２は、射出成形等により一体成形された非プラスチック製の成形品であって、分割構造のケース本体８とキャップ体９とから構成されるとともに、ケース２の先端部には、転写ヘッド６を内外に挿通するヘッド挿通開口１０が形成されている。このヘッド挿通開口１０は、ケース本体８の先端に凹設された開口形成凹部１０ａと、キャップ体９の先端に凹設された開口形成凹部１０ｂとから形成されている。
【００５５】
なお、ケース２（８、９）は、上述したような構成材料からなることにより、上記把持面２ａ、２ｂを含めた表面の筆記性が良好であり、また彫刻刃、カッターナイフ等の刃物により彫刻可能とされている。
【００５６】
上記ケース本体８の内側面に、支軸１１、１２がそれぞれ起立状に一体形成され、これら支軸１１、１２に、上記繰出リール３および巻取リール４がそれぞれ回転可能に軸支されるとともに、これら両リール３、４には、それぞれ連動歯車５ａ、５ｂが同心状に設けられ、これら両連動歯車５ａ、５ｂが相互に噛合されて上記連動機構５を構成している。
【００５７】
具体的には、連動歯車５ａは、図２に示すように、上記繰出リール４と別部材とされて、これら両者４、５ａ間に上記クラッチ機構７が形成されている。つまり、連動歯車５ａは、円筒状の回転軸１３が上記支軸１１に回転可能に軸支されるとともに、この回転軸１３に上記繰出リール３の中心孔３ａが回転可能にかつ軸方向に弾発的に嵌合支持されている。また、連動歯車５ａの上面には、上記繰出リール３の下面に弾発的に摩擦係合する弾発係合部１４、１４、…が形成されて、この部位にクラッチ機構７を形成している。
【００５８】
なお、このクラッチ機構７は、図示のような繰出リール３側でなく、巻取リール４側に設けられてもよい。
【００５９】
本実施形態のクラッチ機構７においては、繰出リール３と駆動側部材である連動歯車５ａが上述したような非プラスチック材料を主要構成材料としていることから、上記弾発的な摩擦係合によるトルク駆動連結の連結力が、両者３、５ａ間の摩擦係合部の摩耗により経時的に減小するように構成されている。したがって、実際の転写具１の使用に際して、クラッチ機構７の使用度合いに応じて上記トルクつまり連結力が経時的に変化減小して、修正テープＴのテープ切れ等が有効に防止される。
【００６０】
このクラッチ機構７の作用により、常態においては、繰出リール３と連動歯車５ａが一体回転する一方、転写テープＴに所定値以上のテンションが加わると、繰出リール３と連動歯車５ａとの間に回転方向への滑りが生じて、両者が相対回転するようにされている。
【００６１】
また、連動歯車５ｂは、上記巻取リール４の軸方向端部に一体形成されており、この連動歯車５ｂが上記繰出リール３側の連動歯車５ａと相互に噛合されて、転写テープＴにテンションが作用して上記繰出リール３が回転すると、連動機構５を介して繰出リール３が従動回転する構成とされている。
【００６２】
また、図２に示すように、上記連動歯車５ａとケース本体８には、上記両リール３、４の逆回転を防止する逆転防止機構１５が設けられている。この逆転防止機構１５は、上記連動歯車５ａに弾性変形可能に設けられた一対の係止爪１５ａ，１５ａと、上記ケース本体８の内側面に支軸１１と同心の環状に設けられた多数の逆転防止爪１５ｂ，１５ｂ，…とからなる。これにより、上記両リール３、４のテープ繰出し方向（図１の矢符方向）への回転（正回転）を許容する一方、テープ繰出し方向と反対方向への回転（逆回転）を阻止する。
【００６３】
転写テープＴは、基材テープＢＴの表面に、修正塗料層および加圧粘着性を有する粘着剤層が順次積層されてなる修正テープである。図示の修正テープＴは従来周知の積層構造を備え、具体的には、フィルム状基材テープＢＴの表面に、剥離剤層、修正塗料層および加圧接着性を有する粘着剤（感圧接着剤）層が順次積層されてなり、これら修正塗料層と粘着剤層が被転写膜としての修正塗膜ｔを形成している。
【００６４】
上記基材テープＢＴは、ポリエチレンテレフタレート（ＰＥＴ）、ポリエチレン、ポリプロピレンなどのプラスチック材料や、あるいは紙材料等からなるフィルム状テープの形態とされ、本実施形態の基材テープＢＴは、紙からなるフィルム状テープの形態とされている。
【００６５】
繰出リール３から繰出される転写テープＴは、そのままの状態で上記案内ピン２０を介して上記転写ヘッド６に導かれ、転写ヘッド６の片側テープ走行面に沿って先端加圧部６ａへ案内された後、この先端加圧部６ａを経由して反転され、さらに反対側テープ走行面に沿って案内された後に、上記案内ピン２１を介して巻取リール４に巻回される。
【００６６】
転写ヘッド６は、ヘッド本体１６と取付部１７からなり、転写テープＴの加圧方向に対して弾性変形可能な弾性ヘッドの形態とされている。具体的には、上記ヘッド本体１６は、その先端がある程度尖ったいわゆる尖頭形とされて、上記先端加圧部６ａを形成するとともに、その両側縁に、転写テープＴの走行を案内するガイドフランジ１６ａ、１６ａが形成されている。また、上記ヘッド本体１６の基端側部位に円筒形状の上記取付部１７が一体形成され、この取付部１７がケース本体８の内側面に起立状に一体形成された取付ピン１８に挿入支持されて、ヘッド本体１６がケース本体８に取り付けられる。
【００６７】
そして、転写ヘッド６がこのようにケース本体８に取付け固定された状態において、先端加圧部６ａは転写テープＴをケース２の把持面２ａ、２ｂに対して平行な状態で加圧する角度位置にあり、いわゆる横引き使用タイプの転写ヘッドとされている。
【００６８】
しかして、以上のように構成された字消し具１により誤字等を修正するには、図３に示すように、ケース２の把持面２ａ，２ｂを手指にて把持して、転写ヘッド６の先端加圧部６ａを紙面等の被転写部Ｏ上に密着状に押し当てて、そのままケース２を被転写部Ｏの表面に沿って移動させることにより、転写ヘッド６の先端加圧部６ａにおける転写テープＴの塗膜ｔが、基材テープから剥離して上記被修正部分Ｏ上に転写されるとともに、被転写膜ｔが剥離された使用後の転写テープＴ´つまり上記基材テープはケース２内の巻取リール４に巻取り回収される。
【００６９】
また、使用後に不要となった字消し具１は、廃棄物として処分されることになるが、その構成部品２〜７の主要構成材料が紙および／またはパルプからなるから、ユニット品としての字消し具１自体はもちろんのこと、分解された構成部品２〜７毎の個別にも容器包装リサイクル法の素材分類における紙として、一般家庭等から廃棄される紙ごみ等と一緒に普通ごみとして回収され焼却処分され得る。
【００７０】
以上のように、本実施形態の字消し具１によれば、以下に列挙されるような種々の特有の効果が得られ、焼却処理可能であるとともに、焼却炉を損傷させたり、燃焼ガスによる環境汚染等のおそれも少なく、地球環境保護に適した構成を備える転写具として提供することができる。
【００７１】
（ａ）構成部品２〜７の主要構成材料が、焼却処理可能な非プラスチック材料である紙および／またはパルプとされていることにより、使用後に廃棄物として処分される場合に、従来のプラスチック製の字消し具のように不燃ごみとして埋め立て処理することなく、また、構成部品２〜７毎に分解して分別する必要もなく、字消し具１のままで一般の普通ごみとして焼却処分することができる。
【００７２】
（ｂ）使用後の廃棄物として処分する際に、構成部品２〜７毎の分別作業が不要となることにより、環境保護意識の低いユーザにおいても、環境に優しい取り組みを誘発しやすく、その結果、これら環境保護意識の低いユーザも環境に優しい取り組みに参入できることとなり、この観点からも地球環境に優しい製品を提供することができる。
【００７３】
（ｃ）構成部品２〜７の主要構成材料として紙および／またはパルプが使用されていることで、上述したように、容器包装リサイクル法の素材分類上の「紙」とされ、字消し具１をそのまま焼却炉などで燃焼させても、厨芥や紙ごみ等と同様に、廃プラスチックに比較して、熱量も大きくなくて燃焼温度も高くなく、焼却炉を損傷させるおそれがなく、また焼却時の燃焼ガスの発生も少なくて、環境汚染等を誘発させるおそれもない。
【００７４】
（ｄ）構成部品２〜７の主要構成材料が紙および／またはパルプであることにより、原材料として石油を使用する割合が低い。このため、本実施形態の字消し具１は、原材料の原油価格への依存度が低くて、原油価格の高騰の影響を受けにくく、材料コストが低く安定して、製造コストさらには製品コストを低く抑えることが可能である。
【００７５】
（ｅ）構成部品２〜７の主要構成材料が紙および／またはパルプであることにより、石油以外の原材料を使用することで、原材料の多種多様化による限りある地球資源の有効活用が実現し、この観点からも地球環境に優しい製品を提供することができる。
【００７６】
実施形態２
本実施形態の字消し具１は、実施形態１の構造が改変されたものであり、具体的には、構成部品２〜７のうち、ケース２の構成材料が他の構成部品のものと違う構成とされている。
【００７７】
すなわち、本実施形態の字消し具１においては、構成材料として構成部品２〜７の大部分を占めるとともに、その構造が比較的簡素で厚肉のケース２が、非プラスチック材料からなる成形品とされている。
【００７８】
ケース２の具体的な構成材料としては、（ａ）紙および／またはパルプ、（ｂ）植物由来材料、（ｃ）貝殻、（ｄ）おからなどが好適に使用される。
【００７９】
上記紙またはパルプとしては、一般家庭や事業所・工場で排出される古新聞等の回収古紙、あるいは製紙工場において発生する不要紙屑、古新聞などの回収屑、再生パルプあるいは間伐材から作成されたパルプ等が好適に採用される。
【００８０】
上記植物由来材料としては、刈り取られた草木類等が好適に採用され、具体的には乾燥後に粉砕機により所定のサイズの細片状に破砕されたものが使用される。
【００８１】
上記貝殻としては、帆立貝の貝殻等が好適に採用され、具体的には粉砕機により粉末状に粉砕されたものが使用される。
【００８２】
これらの構成材料は、構成材料自体が従来周知のプレスモールド成形技術により、あるいは射出成形技術により上記ケース２に成形されるが、成形に際しては必要に応じて適宜の結合剤が混合される。
【００８３】
なお、上記植物由来材料としては、一般市販の混合物製品を使用することができ、例えば、第和工業株式会社製の商品名「エコピュア」が好適に採用され得る。
【００８４】
しかして、以上のように構成された字消し具１においては、実施形態１の構造以上に脱プラスチック化が進んだ構造とされ、焼却処分されても、焼却炉を損傷させたり、燃焼ガスによる環境汚染等のおそれが少ないことはもちろん、より地球環境保護に適した構成を備える転写具として提供することができる。
【００８５】
さらに、本実施形態のケース２（８、９）のように、構成部品２〜７の少なくとも一つが石油以外の原材料からなる成形品とすることで、実施形態１よりもさらに一歩進んだ地球資源の有効活用が実現し得る。
その他の構成および作用は実施形態１と同様である。
【００８６】
なお、上述した実施形態はあくまでも本発明の好適な実施態様を示すものであって、本発明はこれに限定されることなく、その範囲内で種々の設計変更が可能である。
【００８７】
例えば、図示の実施形態の字消し具（転写具）１は、転写テープＴを含めた構成部品のすべてが使い切りの消耗品とされてなる使い切りタイプとされているが、具体的には図示しないが、ケース２内に、少なくとも繰出リール３および巻取リール４を備えるテープカートリッジが取外し交換可能に装着されて、転写テープＴの交換が可能な構造を備えてなるリフィルタイプも採用可能である。
【００８８】
また、図示の実施形態の転写具１は、転写テープＴが、基材テープの表面に、修正塗料層および加圧粘着性を有する粘着剤層を順次積層されてなる修正テープとされた字消し具であるが、このほか、具体的には図示しないが、転写テープが、基材テープの表面に、多数の感圧粘着性を有する転写マークが所定間隔をもって剥離可能に貼着保持されてなるマーク転写テープとされたマーク転写具でも良く、この場合も、上記基材テープが紙からなるフィルム状テープの形態とされているのが望ましい。
【図面の簡単な説明】
【００８９】
【図１】本発明の一実施形態である字消し具を示す斜視図で、図１（ａ）は外観構成を示し、図１（ｂ）はケースを開いて内部構成を示す。
【図２】同じく同字消し具の構成部品を分解して示す斜視図である。
【図３】同じく同字消し具の使用状態を示す斜視図である。
【符号の説明】
【００９０】
Ｔ                        修正テープ（転写テープ）
ＢＴ                      基材テープ
ｔ                        修正塗膜
１                        字消し具（転写具）
２                        ケース
３                        繰出リール
４                        巻取リール
５                        連動機構
６                        転写ヘッド
７                        クラッチ機構
８                        ケース本体
９                        キャップ体
【図１】
2009143065.tif 000003
【図２】
2009143065.tif 000004
【図３】
2009143065.tif 000005